(57)【要約】【課題】交替処理に必要とする時間を最小限に抑えると共に、確実に、交替処理を実行することが可能な光ディスク装置と、そのための交替処理方法を提供する。【解決手段】光ディスク１００のユーザデータ記録領域における欠陥ブロックに対し、当該光ディスクの交替領域へ記録するディスクの交替処理方法において、光ディスクのユーザデータの記録中に、光ディスクのユーザデータ記録領域に欠陥ブロックを検出した場合、ディスクの内周及び外周の両側に設けられた交替領域の一方でのみ交替処理を行った後、ユーザデータの記録の終了後、残った交替領域での交替処理を行う。なお、その際、交替処理を、バッファメモリを介して実行することが好ましく、近い交替領域で交替処理を行った後、残った交替領域での交替処理を行うことが好ましい。【選択図】図３
2008016078.tif 000002
【特許請求の範囲】
【請求項１】
光ディスクのユーザデータ記録領域における欠陥ブロックに対し、当該光ディスクの交替領域への交替処理を行って情報の記録または再生を行う光ディスク装置であって、
光ディスクを回転駆動するディスクモータと、
前記ディスクモータを駆動するディスクモータ駆動手段と、
前記光ディスクの記録表面に光を照射すると共にその反射光を受光して、当該光ディスクの記録表面に対してデータの記録又は再生を行う光ピックアップと、
前記光ピックアップを光ディスクの半径方向へ移動するスライドモータと、
前記スライドモータを駆動するスライドモータ駆動手段と、そして、
少なくとも前記ディスクモータ駆動手段及びスライドモータ駆動手段を前記光ピックアップからの信号に基づいて制御するための制御手段を備えたものにおいて、
前記制御手段は、ユーザデータの記録中に、前記光ディスクのユーザデータ記録領域に欠陥ブロックを検出した場合、前記光ディスクの内周及び外周の両側に設けられた交替領域の一方でのみ交替処理を行った後、前記ユーザデータの記録の終了後、残った交替領域での交替処理を行うことを特徴とする光ディスク装置。
【請求項２】
前記請求項１に記載した光ディスク装置であって、更に、バッファメモリを備えており、前記制御手段は、前記交替処理を、当該バッファメモリを利用して実行することを特徴とする光ディスク装置。
【請求項３】
前記請求項１に記載した光ディスク装置であって、前記制御手段は、前記光ディスクの内周及び外周の両側に設けられた交替領域のうち、欠陥ブロックを検出した位置に近い交替領域で前記交替処理を行った後、前記ユーザデータの記録の終了後、残った交替領域での交替処理を行うことを特徴とする光ディスク装置。
【請求項４】
前記請求項１に記載した光ディスク装置であって、前記制御手段は、前記残った交替領域での交替処理が中断された場合に、当該中断された交替処理を継続する機能を備えていることを特徴とする光ディスク装置。
【請求項５】
光ディスクのユーザデータ記録領域における欠陥ブロックに対し、当該光ディスクの交替領域へ記録するディスクの交替処理方法であって、
前記光ディスクのユーザデータの記録中に、前記光ディスクのユーザデータ記録領域に欠陥ブロックを検出した場合、前記光ディスクの内周及び外周の両側に設けられた交替領域の一方でのみ交替処理を行った後、前記ユーザデータの記録の終了後、残った交替領域での交替処理を行うことを特徴とする光ディスク装置の交替処理方法。
【請求項６】
前記請求項５に記載した交替処理方法であって、前記交替処理を、バッファメモリを介して実行することを特徴とする光ディスク装置の交替処理方法。
【請求項７】
前記請求項５に記載した交替処理方法であって、前記光ディスクのユーザデータの記録中においては、前記光ディスクの内周及び外周の両側に設けられた交替領域のうち、欠陥ブロックを検出した位置に近い交替領域で前記交替処理を行った後、前記ユーザデータの記録の終了後、残った交替領域での交替処理を行うことを特徴とする光ディスク装置の交替処理方法。
【請求項８】
前記請求項５に記載した交替処理方法であって、前記残った交替領域での交替処理が中断された場合に、当該中断された交替処理を継続することを特徴とする光ディスク装置の交替処理方法。
【発明の詳細な説明】
【技術分野】
【０００１】
本発明は、ＣＤやＤＶＤなどのディスク状の光記録媒体（以下、「光ディスク」と称する）へ情報の記録又は再生を行うディスク記録再生装置に係り、特に、欠陥等による交替処理に必要な時間を短縮し、更には、確実に実行可能な光ディスク装置とそのための交替処理方法に関する。
【背景技術】
【０００２】
ＣＤやＤＶＤなどの光ディスクを記録媒体として、各種の情報を記録又は再生する光ディスク装置は、例えば、パーソナルコンピュータをはじめとする各種の電子装置における情報記録装置として、広く使用されている。特に、近年においては、従来からのＣＤに加え、各種のＤＶＤが普及してきており、更には、大容量の記録媒体であるＢＤが製品化されつつある。それに伴い、これら各種の光ディスクに対応可能なディスク記録再生装置が求められている。
【０００３】
特に、ＤＶＤ、ＢＤにおいては、媒体の記録情報量の増大と共に、情報記録の際のディスク欠陥に対する信頼性を確保するため、ユーザデータを記録しながら、逐次、所定のブロック単位で読み出して元のデータとの同一性を検査する、所謂、ベリファイ処理が行われる。このベリファイ処理の結果、同一でないと判断されると、当該ブロックは欠陥ブロックと認識されると共に、光ディスクのユーザデータ記録領域とは異なる領域（交替領域）に記録する、所謂、交替処理と呼ばれる処理が必要となる。
【０００４】
なお、これに関連し、例えば、以下の特許文献１又は２にも記載されているように、データの記録又は再生中において光ディスクに欠陥ブロックの発生を検出した場合、当該欠陥ブロックの代替データ又はそのアドレスを、装置の代替バッファメモリ内に一時的に記憶しておき、データの記録又は再生動作を終了した後に、ディスクの交替領域およびＤＭＡ（Defect Management Area）と呼ばれる領域に書き込む光ディスク装置は既に知られている。
【０００５】
【特許文献１】特開２０００−３３９８７４号公報
【特許文献２】特開平８−７４８５号公報
【発明の開示】
【発明が解決しようとする課題】
【０００６】
しかしながら、上述した従来技術では、光ディスク上で検出された欠陥ブロックの代替データとそのアドレス情報を含む交替情報をメモリ内に一時的に保存し、その後、データの書き込み終了時において、当該ディスクの内周及び／又は外周に設けられた交替領域及びＤＭＡ領域に、上記で保存した代替情報を書き込むものであり、そのため、特に、映像などのデータを連続してディスク上に記録している途中において、突発的な装置の電源が遮断（オフ）し、又は、外部からの衝撃（ショック等）によって装置の動作が停止（ストップ）した場合には、代替バッファメモリの内容が消失してしまい、一時的にメモリ内に保存した代替情報、即ち、欠陥ブロックの代替データとそのアドレス情報とが失われてしまうという問題点が指摘されていた。
【０００７】
加えて、上述した従来技術では、例えば、ディスク表面において大きな傷がある場合など、かかる欠陥が多数発生した場合を考慮した場合、当該代替情報を一時的に保存するための代替バッファメモリのメモリ容量を大きくする必要があり、そのため、光ディスク装置のコストを上昇させる一つの原因ともなっていた。
【０００８】
なお、ＤＶＤ−ＲＡＭの規格によれば、検出した欠陥ブロックについては、その代替データとそのアドレス情報を含む同一の交替情報を、ディスクの内周及び外周のＤＭＡ領域を含む交替領域に、それぞれ書き込むことが規定されている。そのため、記録動作中に交替（即ち、欠陥ブロック）が発生した場合、更には、上述した装置電源の遮断や代替バッファメモリの最小化を考慮した場合には、装置の記録動作中において、定期的に、ディスクの内周及び外周のＤＭＡ領域を含む交替領域に書き込みを行わなければならず、そのためには、光ヘッドをディスクの内周及び外周にそれぞれ移動しなければならない。そのことから、この交替処理に時間がかかってしまうという問題があった。
【０００９】
そこで、本発明では、上述した従来技術では対処することが出来ない装置の動作条件、即ち、装置電源の突発的な遮断、更には、代替バッファメモリの最小化を考慮し、記録動作中に交替（即ち、欠陥ブロック）が発生した場合には、直ちに、ＤＭＡ領域を含む交替領域に書き込みを行うことを前提としながらも、なお、当該交替処理に必要とする時間を最小限に抑えることが可能な光ディスク装置と、そのための交替処理方法を提供することをその目的とする。
【課題を解決するための手段】
【００１０】
本発明によれば、上述した目的を達成するため、まず、光ディスクのユーザデータ記録領域における欠陥ブロックに対し、当該光ディスクの交替領域への交替処理を行って情報の記録または再生を行う光ディスク装置であって、光ディスクを回転駆動するディスクモータと、
前記ディスクモータを駆動するディスクモータ駆動手段と、前記光ディスクの記録表面に光を照射すると共にその反射光を受光して、当該光ディスクの記録表面に対してデータの記録又は再生を行う光ピックアップと、前記光ピックアップを光ディスクの半径方向へ移動するスライドモータと、前記スライドモータを駆動するスライドモータ駆動手段と、そして、少なくとも前記ディスクモータ駆動手段及びスライドモータ駆動手段を前記光ピックアップからの信号に基づいて制御するための制御手段を備えたものにおいて、前記制御手段は、ユーザデータの記録中に、前記光ディスクのユーザデータ記録領域に欠陥ブロックを検出した場合、前記光ディスクの内周及び外周の両側に設けられた交替領域の一方でのみ交替処理を行った後、前記ユーザデータの記録の終了後、残った交替領域での交替処理を行う光ディスク装置が提供される。
【００１１】
また、本発明によれば、やはり上述した目的を達成するため、光ディスクのユーザデータ記録領域における欠陥ブロックに対し、当該光ディスクの交替領域へ記録するディスクの交替処理方法であって、前記光ディスクのユーザデータの記録中に、前記光ディスクのユーザデータ記録領域に欠陥ブロックを検出した場合、前記光ディスクの内周及び外周の両側に設けられた交替領域の一方でのみ交替処理を行った後、前記ユーザデータの記録の終了後、残った交替領域での交替処理を行う光ディスク装置の交替処理方法が提供される。
【００１２】
更に、本発明では、前記に記載した光ディスク装置及びその交替処理方法において、前記交替処理を、バッファメモリを介して実行することが好ましく、又は、前記光ディスクのユーザデータの記録中においては、前記光ディスクの内周及び外周の両側に設けられた交替領域のうち、欠陥ブロックを検出した位置に近い交替領域で前記交替処理を行った後、前記ユーザデータの記録の終了後、残った交替領域での交替処理を行うことが好ましい。更には、上記において、前記残った交替領域での交替処理が中断された場合には、当該中断された交替処理を継続することが好ましい。
【発明の効果】
【００１３】
以上からも明らかなように、本発明によれば、装置電源の突発的な遮断、更には、代替バッファメモリの最小化を考慮し、記録動作中に交替（即ち、欠陥ブロック）が発生した場合には、直ちに、ＤＭＡ領域を含む交替領域に書き込みを行うことを前提としながらも、なお、当該交替処理に必要とする時間を最小限に抑えると共に、確実に、交替処理を実行することが可能な光ディスク装置と、そのための交替処理方法を提供するという、実用的にも優れた効果を発揮する。
【発明を実施するための最良の形態】
【００１４】
以下、本発明の実施の形態について、添付の図面を参照して詳細に説明する。
【００１５】
まず、添付の図１には、本発明の一実施の形態になる光ディスク装置の概略内部構造が示されており、この図において、符号１００は、情報の記録又は再生を行うために当該光ディスク装置に装填された、例えば、ＤＶＤ−ＲＡＭなどの、所謂、ディスク状の光記録媒体（光ディスク）を示している。
【００１６】
また、図中における符号３００は、上記光ディスク１００を回転駆動するディスクモータであり、図にも明らかなように、その回転軸の先端に取り付けられたターンテーブル（図示せず）に上述した光ディスク１００を装着し、もって、当該光ディスクを所望の回転速度で回転駆動する。なお、このディスクモータ３００は、その駆動手段としてのディスクモータ駆動回路３１０により駆動されている。即ち、ディスクモータ３００のターンテーブルに装着された光ディスク１００は、ディスクモータ駆動回路３１０により、その回転速度を、適宜、例えば、既知の回転数一定（ＣＡＶ）方式で、又は、線速度一定（ＣＬＶ）方式で制御される。
【００１７】
次に、図中の符号２００は、上述した光ディスク１００の半径方向に移動可能に取り付けられると共に、その記録面に対してレーザ光を照射し、そして、当該記録面からの反射レーザ光を受光する、所謂、光ピックアップを示している。なお、この光ピックアップ２００の内部においては、ここでは詳述しないが、上記の反射レーザ光から電気信号を再生し、そして、この再生した信号を、図のフォーカス・トラッキング誤差信号形成回路２１０に出力し、そこでは、当該信号に基づいて、例えば、フォーカス誤差信号やトラッキング誤差信号を生成する。そして、このフォーカス・トラッキング誤差信号形成回路２１０から出力されるフォーカス誤差信号やトラッキング誤差信号に基づいて、フォーカス・トラッキング制御回路２２０が、上記光ピックアップ２００に入力する制御信号を形成しており、もって、光ピックアップ内において移動可能に設けられた対物レンズ（図示せず）の位置を制御する。
【００１８】
なお、上述した光ピックアップ２００の内部に設けられたレーザ光源である、レーザダイオード（図示せず）は、図の記録信号を生成する記録信号生成回路４２０からの出力に基づいて駆動電流を供給するレーザ駆動回路４３０により駆動されると共に、その発光強度が制御されることは、従来と同様である。
【００１９】
また、上述した光ピックアップ２００の内部において上記反射レーザ光から再生した電気信号のうち、所謂、ＲＦ信号は、当該ＲＦ信号を増幅処理するためのＲＦ信号増幅回路２３０へ送られ、更に、その増幅したＲＦ信号を復調処理するためのデータ復調回路２５０へ出力される。
【００２０】
更に、上記の光ピックアップ２００には、当該ピックアップを光ディスク１００の半径方向に移動させるためのスライドモータ３２０が取り付けられており、そして、このスライドモータ３２０は、これを制御駆動するためのスライドモータ駆動回路３３０によって駆動制御されている。そして、この図において、符号５００は、上記のディスクモータ駆動回路３１０や、記録信号生成回路４２０や、フォーカス・トラッキング制御回路２２０や、スライドモータ駆動回路３３０などを制御するための制御手段であり、例えば、マイコンにより構成されており、その一部にバッファメモリ５１０を備えている。
【００２１】
一方、上述した光ディスク１００では、例えば、記録面上の指紋や傷の付着に起因するディスク欠陥に伴って、記録すべき情報を、当該交替元から別の場所である交替先（交替領域）へ記録を行う、所謂、交替処理が行われる。その場合、添付の図２（Ａ）に示すように、光ディスクは、その情報記録面上において、交替領域をその最内周位置及び最外周位置に備えており、そして、これら内周側と外周側の交替領域の間には、ユーザがデータを記録することができる、所謂、データ記録領域を備えている。そして、添付の図２（Ｂ）にも示すように、当該交替領域は、各々、欠陥ブロックの代替データを書き込むための交替領域と共に、そのアドレス情報を書き込むためのＤＭＡ領域がそれぞれ設けられている。より具体的には、内周側にはＤＭＡ１とＤＭＡ２、外周側にはＤＭＡ３とＤＭＡ４のように、それぞれ、２個のＤＭＡ領域と予備領域とが設けられている。
【００２２】
続いて、上記構成において、例えば、ユーザデータ（情報）の記録は、光ディスク１００の内周側から外周側に光ピックアップ２００を移動させながら行う。具体的には、上記のマイコン５００は、ディスクモータ駆動回路３１０を介し、ディスクモータ３００を所定の速度（倍速）や方式（ＣＡＶやＣＬＶ等）で回転させながら実行されることとなる。
【００２３】
即ち、上記の光ディスク１００のユーザデータ記録領域においては、所定の倍速状態で記録動作を行うことにより、適宜、ユーザデータを記録し、他方、その記録したデータを、逐次、一個または複数個のブロックで読み出し、元のデータとの同一性を検査する（ベリファイ処理）。その結果、これらデータが同一でないと判断されると、当該ブロックは欠陥ブロックとして認識され、マイコン５００は、当該検出結果に基づいて、交替処理のための制御を行う。具体的には、マイコン５００は、上記スライドモータ駆動回路３３０及びスライドモータ３２０を介して、上記光ピックアップ２００を、ディスク最外周側又は最内周側の交替領域側に移動して、欠陥ブロックを当該交替領域に書き込むと共に、そのＤＭＡ領域にそのアドレス情報を書き込む。
【００２４】
本発明では、上記の交替処理が発生した場合、検出された欠陥ブロックの代替データとそのアドレス情報を含む交替情報の書き込みを、装置の記録動作中においては、当該光ディスクの最内周及び最外周の両方の交替領域で行うのではなく、その最内周又は最外周の一方の交替領域でのみ行うと共に、他方（最外周位置又は最内周位置）の交替領域への交替情報の書き込みを、記録動作の終了後に行う。なお、交替処理が発生した際に、当該光ディスクの最内周位置又は最外周位置のいずれの側における交替領域で交替情報の書き込みを行うかは、現在書き込み動作を行っているディスク上の位置、即ち、上記光ピックアップ２００の位置により決定する。即ち、その位置がディスクの最内周位置に近い場合には、当該最内周位置の交替領域に交替情報の書き込み、他方、ディスクの最外周位置に近い場合には、当該最外周位置の交替領域に書き込みを行う。このことによれば、ディスク上で検出された欠陥ブロックの代替データとそのアドレス情報を含む交替情報をメモリ内に一時的に保存するための大容量の代替バッファメモリを必要とせず、記録動作中の交替処理に必要とする時間を最小限に抑えることが可能となる。
【００２５】
続いて、添付の図３には、上記の光ディスク装置において実行されるユーザデータの記録時における動作がフローチャートによって示されている。まず、装置に光ディスク１００が装着されると処理が開始し、装着された光ディスク１００を所定の回転速度で回転しながら、上記光ピックアップ２００をその半径方向に移動し、書き込み用のレーザビームをディスクの情報記録面に照射することにより、データ（即ち、ユーザデータ）の記録を行う（ステップＳ３１）。その後、上述したベリファイ処理を行い（ステップＳ３２）、更に、エラーの存在の有無を判定する（ステップＳ３３）。即ち、この判定において、データは同一である（即ち、エラーがない（「ＮＯ」））と判断されると、処理は、書き込み終了フラグを確認することにより、記録処理が終了したか否か、即ち、記録すべき残りのユーザデータが存在するか否かを判定する（ステップＳ３４）。その結果、終了（「ＹＥＳ」）と判定された場合には処理を終了し、他方、未だ終了していない（「ＮＯ」）と判定された場合には、処理は上記のステップＳ３１へ戻り、再び、上記の処理を繰り返す。
【００２６】
一方、上記の判定処理（ステップＳ３３）において、エラーがある（「ＹＥＳ」）と判断されると、欠陥ブロックとして認識され、その後、以下に詳述する交替処理を実行する。即ち、まず、当該欠陥ブロックとして認識された単位の交替データ及びそのアドレス情報をバッファメモリ５１０内に、一旦、格納する（ステップＳ３５）。その後、光ピックアップ２００を、上記の内周及び外周側に設けられた交替領域のうち、欠陥ブロックが検出されたブロックにより近い側の交替領域へ移動し、上記で一旦バッファメモリ５１０内に保存した交替情報を書き込む（ステップＳ３６）。具体的には、欠陥ブロックとして認識された単位の交替データをデータエリアの交替領域に記録すると共に、そのアドレス情報をＤＭＡ領域（例えば、ＤＭＡ１及びＤＭＡ２、又は、ＤＭＡ３及びＤＭＡ４のように複数の領域に）に記録する。
【００２７】
なお、ここで、欠陥ブロックが検出されたブロックにより近い側の交替領域の選択は、例えば、当該欠陥ブロックが検出されたブロックのアドレス情報、又は、その時の光ピックアップ２００の位置情報を利用することにより、容易かつ確実に実行することが出来る。具体的には、光ディスク１００の半径方向における、内周側の交替領域と外周側の交替領域との中間位置、又は、当該中間位置に該当するアドレス情報を予め求めておき、これを閾値として、例えば、制御手段である上記マイコンのメモリ内に記憶する。その後、欠陥ブロックが検出された場合、その時の光ピックアップ２００の位置情報、又は、そのアドレスを記憶しておいた閾値と比較する。例えば、一例として、ＤＶＤ−ＲＡＭでは、アドレス番号８００までのブロックに欠陥ブロックが検出された場合には、ディスク内周側の交替領域へ交替処理を行い、アドレス番号８０１以降のブロックに欠陥ブロックが検出された場合には、外周側の交替領域へ交替処理を行う。
【００２８】
その後、装置の電源が遮断されたか否かを判定する（ステップＳ３７）。その結果、電源が遮断された（「ＹＥＳ」）と判定された場合には、以下に詳述する処理（Ａ）へ移行し、他方、電源の遮断はない（「ＮＯ」）と判定された場合には、上記のステップＳ３４と同様に、書き込み終了フラグを確認することにより、記録処理が終了したか否かを判定する（ステップＳ３８）。そして、この判定の結果、未だ記録処理が終了していない（「ＮＯ」：即ち、未だ、記録すべき残りのユーザデータが存在する）と判定された場合には、再び上記処理は上記のステップＳ３１へ戻り、上記の処理を繰り返す。
【００２９】
そして、上記の判定処理（ステップＳ３８）において、書き込み終了フラグを確認した（「ＹＥＳ」）と判定、即ち、記録処理が終了したと判定されると、上記光ピックアップ２００をその半径方向において反対側の交替領域へ移動し（例えば、上記ステップＳ３６において、内周側交替領域がより近いと判定された場合には、外周側の交替領域へ移動し、他方、外周側交替領域がより近いと判定された場合には、内周側の交替領域へ移動する）、そして上記ステップＳ３６と同様にして、同一の情報を、当該反対側の交替領域へ記録する。即ち、欠陥ブロックとして認識された単位の交替データを交替領域に記録すると共に、そのアドレス情報をＤＭＡ領域（例えば、ＤＭＡ１及びＤＭＡ２、又は、ＤＭＡ３及びＤＭＡ４のように複数の領域に）に記録し、もって、一連の処理を終了する。
【００３０】
即ち、上述したような本発明になる交替処理方法によれば、データの記録動作において、ディスク上に欠陥ブロックが検出された度毎に、交替処理が実行されることから、上述した従来技術では対処することが出来ない装置電源の突発的な遮断に確実に対応することが可能である。そして、その際の光ピックアップの移動を、光ディスクの内外周に設けられた交替領域の内のより近い一方にのみ移動させて交替情報の記録を行い、その後、データの記録動作が完了した（即ち、書き込み終了フラグの確認）ことを条件として、残りの（即ち、反対側の）交替領域での交替処理を行う。そのことにより、当該交替処理に必要とする時間を最小限に抑えることが可能となると共に、代替バッファメモリの最小化を実現することが出来る。
【００３１】
更に、添付の図４には、本発明の他の実施の形態になるユーザデータの記録動作が示されている。なお、この他の実施の形態では、上記図３に示す処理に加え、更に、上記バッファメモリ５１０内の残りの記憶容量を考慮したものである。なお、この図においても、上記図３に示したと同様の処理は、同一の符号により示されている。
【００３２】
即ち、この図４からも明らかなように、上記欠陥ブロックを検出した後の交替処理において、特に、当該欠陥ブロックとして認識された単位の交替データ及びそのアドレス情報をバッファメモリ５１０内に、一旦、格納（ステップＳ３５）した後、当該バッファメモリ内における残りの記録容量が所定の値（一定量）以下か否かを判定する（ステップＳ４０）。そして、その結果、残りの記録容量が一定量以下ではない（「ＮＯ」）、換言すれば、当該バッファメモリ内にはなお検出された欠陥ブロックの代替データとそのアドレス情報を含む交替情報を一時的に格納するに十分な記憶容量があると判定された場合には、交替処理を行わず、処理は上記のステップＳ３１へ戻り、再び、上記の処理を繰り返す。
【００３３】
その後、当該バッファメモリ内における残りの記録容量が一定量以下である（「ＹＥＳ」）、即ち、交替情報が増加して当該バッファメモリ内には十分な記憶容量がないと判定された場合には、上記と同様の交替処理を実行する。即ち、光ピックアップ２００を、より近い側の交替領域へ移動し、上記で一旦バッファメモリ５１０内に保存した交替情報を書き込む（ステップＳ３６）。その後、装置の電源が遮断されたか否かを判定し（ステップＳ３７）、その結果、電源が遮断された（「ＹＥＳ」）と判定された場合には、以下に詳述する処理（Ａ）へ移行し、他方、電源の遮断はない（「ＮＯ」）と判定された場合には、同様に、書き込み終了フラグを確認する（ステップＳ３８）。この判定の結果、未だ記録処理が終了していない（「ＮＯ」）と判定された場合には、処理は、再び上記処理は上記のステップＳ３１へ戻り、再び、上記の処理を繰り返す。そして、上記の判定処理（ステップＳ３８）の結果、書き込み終了フラグを確認した（「ＹＥＳ」）と判定されると、上記光ピックアップ２００をその半径方向において反対側の交替領域へ移動し、同一の情報を、当該反対側の交替領域へ記録して、一連の処理を終了する。
【００３４】
なお、上述した他の実施の形態になる交替処理方法によっても、上記と同様に、装置電源の突発的な遮断に確実に対応すると共に、その交替処理に必要とする時間を最小限に抑えることが可能となることに加えて、更に、代替バッファメモリをより効率的に利用することが可能となることは明らかであろう。
【００３５】
次に、上記の図３及び図４に示した交替処理において、特に、ステップＳ３７により説明した装置の電源が遮断されたか否かの判定において、電源が遮断した（「ＹＥＳ」）と判断された場合の処理（即ち、処理（Ａ））について、以下に説明する。
【００３６】
即ち、上記のステップＳ３７において、電源が遮断した（「ＹＥＳ」）と判断された場合には、その後の反対側の交替領域へ同一情報の記録を行うためのステップＳ３８にもかかわらず、当該電源の遮断を原因として、かかる反対側の交替領域へ同一情報の記録が実行されない場合が生じることとなる。即ち、交替領域が途中で中断される場合が生じる。そこで、本発明では、以上のような電源の遮断に対応するため、当該電源の遮断の後における光ディスク装置の回復時（又は、その後の、装置の起動時）において実行される処理動作について、添付の図５を参照して、詳細に説明する。
【００３７】
この図５にも明らかなように、この処理が開始すると、まず、装置に装着されている光ディスクが、電源遮断時に装着されていた光ディスクと同一であるか否かを判定する（ステップＳ５１）。この結果、同一でない（「ＮＯ」）と判定された場合には、装置に装着された光ディスクは、その交替処理が途中で中断されたディスクとは異なるものと認識し、通常の処理を実行することとなる（即ち、データを記録する場合には、上記図３又は図４に示した処理を実行する）。なお、この時、装着されている光ディスクが、電源遮断時に装着されていた光ディスクと同一であるか否の判定は、例えば、ディスク内周部に設けられたＤＩＺ（Disc Identification Zone）に基づいて行うことが可能である。
【００３８】
一方、上記の判定処理（ステップＳ５１）において、同一である（「ＹＥＳ」）と判断された場合の処理について、以下に説明する。この場合には、まず、光ディスクの代替領域に記録されているＤＭＡ情報を確認し（ステップＳ５２）、更に、このＤＭＡ情報から、最新情報の記録が、その内周及び外周に設けられた交替領域の一方だけで行われているか、又は、その両方で行われているかを判定する（ステップＳ５３）。その結果、その両方の領域において最新の情報が記録されている場合（「両方」）には、上記電源遮断の際にも交替処理が完了されたものと認識されることから、一連の処理を終了して、通常の処理を実行することとなる。
【００３９】
他方、上記の判定（ステップＳ５３）の結果、その一方にのみ最新情報が記録されている場合（「一方」）には、上記電源遮断の際、交替処理が途中で中断されたディスクであると判定される。そこで、交替処理を完成させるため、更に、上記ステップＳ３６における処理と同様に、光ピックアップ２００を、反対側の交替領域へ移動し（即ち、最新情報が内周側交替領域に記録されている場合には、外周側の交替領域へ移動し、他方、外周側交替領域に記録されている場合には、内周側の交替領域へ移動する）、最新の交替情報を書き込み（ステップＳ５４）、一連の処理を終了して、通常の処理を実行する。
【００４０】
以上の説明からも明らかなように、上記の処理によれば、上記図３又は図４に示す交替処理を実行中において、電源の遮断を原因として、交替処理が途中で中断された場合においても、その後、必要な交替処理を継続して完成することが可能となることから、装置電源の突発的な遮断に確実に対応すると共に、その交替処理に必要とする時間を最小限に抑えることが可能となることに加えて、更に、確実に交替処理を実行することが可能となる。
【図面の簡単な説明】
【００４１】
【図１】本発明の一実施の形態になる光ディスク装置の全体構成を示す斜視図である。
【図２】上記光ディスク装置に装着可能な光ディスクにおける交替領域の配置やそのデータ構造を示す図である。
【図３】上記光ディスク装置における交替処理の詳細を示すフローチャート図である。
【図４】本発明の他の実施の形態になる、上記光ディスク装置における交替処理の詳細を示すフローチャート図である。
【図５】上記図３又は図４に示した電源遮断時の処理の詳細を示すフローチャート図である。
【符号の説明】
【００４２】
１００…光ディスク
３００…ディスクモータ
３１０…ディスクモータ駆動回路
２００…光ピックアップ
３２０…スライドモータ
３３０…スライドモータ駆動回路
５００…制御手段（マイコン）。
【図１】
2008016078.tif 000003
【図２】
2008016078.tif 000004
【図３】
2008016078.tif 000005
【図４】
2008016078.tif 000006
【図５】
2008016078.tif 000007